(57)【要約】【課題】生体情報測定装置としての腕時計型イベント心電計において、安定した心電図計測が可能な電極構造を提供する。【解決手段】使用者の生体情報を検出する生体情報検出部を備えるケース部と、該ケース部を使用者に装着するバンド２９と、ケース部またはバンド２９の使用者の体と接触する面に設けられた第１電極と、バンド２９に設けられ、使用者が指で撮める撮み部１０Ａと、撮み部１０Ａに設けられた第２電極５４１Ａと、第１電極と第２電極５４１Ａとを用いて、使用者の心電を検出する心電検出部と、を有することを特徴とする生体情報測定装置。【選択図】図９
2016214641.tif 000002
【特許請求の範囲】
【請求項１】
使用者の生体情報を検出する生体情報検出部を備えるケース部と、
前記ケース部を前記使用者に装着するバンド部と、
前記ケース部または前記バンド部の前記使用者の体と接触する面に設けられた第１電極と、
前記ケース部または前記バンド部に設けられ、前記使用者が指で撮める撮み部と、
前記撮み部に設けられた第２電極と、
前記第１電極と前記第２電極とを用いて、前記使用者の心電を検出する心電検出部と、を有することを特徴とする生体情報測定装置。
【請求項２】
請求項１に記載の生体情報測定装置において、
前記撮み部の両主面に前記第２電極が設けられていることを特徴とする生体情報測定装置。
【請求項３】
請求項１または２に記載の生体情報測定装置において、
前記バンド部は、一端が前記ケース部に接続され、他端が解放されてなり、
前記撮み部は、前記バンド部の前記他端に配置されることを特徴とする生体情報測定装置。
【請求項４】
請求項１〜３のいずれか一項に記載の生体情報測定装置において、
前記撮み部は、前記ケース部または前記バンド部に接続された接続端と、前記ケース部または前記バンド部との接続を解除可能な自由端とを備えたことを特徴とする生体情報測定装置。
【請求項５】
請求項１〜３のいずれか一項に記載の生体情報測定装置において、
前記撮み部の長さを調整可能な収容機構を有する撮み部収容部を備えたことを特徴とする生体情報測定装置。
【請求項６】
請求項５に記載の生体情報測定装置において、
前記収容機構は、前記第２電極を未使用時の前記撮み部の長さよりも、前記第２電極を使用時の前記撮み部の長さの方が長くなるように前記撮み部の長さを調整可能なことを特徴とする生体情報測定装置。
【請求項７】
請求項５または６に記載の生体情報測定装置において、
前記収容機構は、リール機構またはスライド機構によって構成されていることを特徴とする生体情報測定装置。
【請求項８】
請求項１〜７のいずれか一項に記載の生体情報測定装置において、
前記撮み部は、前記バンド部の延出方向と前記撮み部の延出方向とに沿って前記バンド部に配置されていることを特徴とする生体情報測定装置。
【請求項９】
請求項１〜８のいずれか一項に記載の生体情報測定装置において、
前記第１電極が配置された面に、前記第１電極と絶縁された第３電極が設けられていることを特徴とする生体情報測定装置。
【請求項１０】
請求項９に記載の生体情報測定装置において、
前記第３電極は不関電極であることを特徴とする生体情報測定装置。
【請求項１１】
請求項１〜１０のいずれか一項に記載の生体情報測定装置において、
前記ケース部の前記使用者の体と接触する面に、前記使用者の脈波を検出する脈波検出部を有することを特徴とする生体情報測定装置。
【請求項１２】
請求項１１に記載の生体情報測定装置であって、
前記ケース部の前記使用者の体と接触する面と平行な方向からの断面視において、前記脈波検出部は前記ケース部から前記使用者の皮膚へ向けて突出する突出部に設けられ、前記第１電極の少なくとも一部は、前記突出部に設けられていることを特徴とする生体情報測定装置。
【請求項１３】
請求項１〜１０のいずれか一項に記載の生体情報測定装置において、
前記第１電極が配置された面に、前記使用者の脈波を検出する検出窓部を有することを特徴とする生体情報測定装置。
【請求項１４】
請求項１３に記載の生体情報測定装置であって、
前記ケース部の前記使用者の体と接触する面と平行な方向からの側面視において、前記ケース部は、前記検出窓部に隣接し、前記ケース部から前記使用者の皮膚へ向けて突出する突出部を有し、前記第１電極の少なくとも一部は、前記突出部に設けられていることを特徴とする生体情報測定装置。
【請求項１５】
請求項１〜１４のいずれか一項に記載の生体情報測定装置において、
前記第２電極は、凹部を有することを特徴とする生体情報測定装置。
【発明の詳細な説明】
【技術分野】
【０００１】
本発明は、生体情報測定装置に関する。
【背景技術】
【０００２】
従来、生体情報測定装置として、複数の電極を配備し、そこから心電情報や脈波情報などの生体情報を測定する手段を有するものが提案されている。また、近年は、健康への関心の高まりに伴って、家庭でも手軽に生体情報を測定して日々の健康管理に役立てることができる小型の生体情報測定装置が開発されている。例えば特許文献１に、携帯型の生体情報測定装置として、バンド部によりケース部を使用者の手首に装着する腕時計型の生体情報測定装置が開示されている。
【０００３】
特許文献１の生体情報測定装置は、使用者の生体の異なる２点に接触させる第１電極および第２電極と、第１電極と第２電極とを用いて使用者の心電などの生体情報を検出する生体情報検出部（生体情報検出手段）と、生体情報検出部を収納するケース部（本体）と、ケース部を使用者の腕（手首）に装着するバンド部（装着手段）と、を備えている。一対の電極のうち第１電極は、バンド部によるケース部の装着状態において、ケース部またはバンド部の前記使用者の生体（皮膚）に接触する面に設けられている。これに対して、第２電極は、第１電極が設けられた面とは異なる面、例えば、ケース部の側面に設けられている。即ち、生体情報測定装置を使用者の腕に装着した状態において、第１電極は常時使用者の生体に接触され、第２電極に、生体情報測定装置が装着された腕とは異なる側の手の指を接触させることにより、第１電極と第２電極とを用いて、使用者の心電などの生体情報を検出できるようになっている。
【先行技術文献】
【特許文献】
【０００４】
【特許文献１】特開２００３−３２５４６８号公報
【発明の概要】
【発明が解決しようとする課題】
【０００５】
しかしながら、特許文献１に記載の生体情報測定装置のように、心電を計測する際に第２電極に指を押し付ける方法では、第２電極と使用者の指（皮膚）との接触状態を、測定に要する所定の時間安定的に保持するのは困難であった。心電の計測は、生体情報測定のなかで特に広い周波数帯域の成分を要求されるので、測定電極と生体との接触状態が不安定であると、心電の周波数帯域やその周辺帯域に重畳する外乱要素の影響により、得られる心電波形が乱れてしまう虞があるという課題があった。
【課題を解決するための手段】
【０００６】
本発明は、上述の課題の少なくとも一部を解決するためになされたものであり、生体情報の検出精度を向上させることができる生体情報測定装置を提供することを目的の１つとして、以下の形態または適用例として実現することができる。
【０００７】
［適用例１］  本適用例にかかる生体情報測定装置は、使用者の生体情報を検出する生体情報検出部を備えるケース部と、前記ケース部を前記使用者に装着するバンド部と、前記ケース部または前記バンド部の前記使用者の体と接触する面に設けられた第１電極と、前記ケース部または前記バンド部に設けられ、前記使用者が指で撮める撮み部と、前記撮み部に設けられた第２電極と、前記第１電極と前記第２電極とを用いて、前記使用者の心電を検出する心電検出部と、を有することを特徴とする。
【０００８】
本適用例によれば、第１電極と第２電極とを用いて使用者の心電を検出する心電検出部を有し、第１電極は、バンド部によるケース部の装着状態において、常時使用者の体（皮膚）に接触された状態が保持され、撮み部に設けられた第２電極は、使用者が撮み部を指で撮んだときに使用者の指（皮膚）と接触する。このように、第２電極が設けられた撮み部を使用者が指で撮んだ状態は、例えば、ケース部またはバンド部の一部に第２電極を設け、使用者が、第２電極を指や掌で触れた状態よりも、第２電極に対する使用者の皮膚の接触状態が安定して保持されやすい。これにより、第２電極に対する使用者の皮膚の接触状態が不安定になることにより、使用者の心電とは異なる外乱要因によって起こり得る電位の変動による誤差が抑えられ、正確な心電図を得ることが可能な生体情報測定装置を提供することができる。
【０００９】
［適用例２］  上記適用例にかかる生体情報測定装置において、前記撮み部の前記皮膚と接触する両主面に前記第２電極が設けられていることが好ましい。
【００１０】
本適用例によれば、使用者の指で撮まれる撮み部の両面ともに第２電極が設けられているので、第２電極に対する使用者の皮膚の接触状態がより良好に保持され、誤差が抑えられた正確な心電図を得ることができる。
【００１１】
［適用例３］  上記適用例にかかる生体情報測定装置において、前記バンド部は、一端が前記ケース部に接続され、他端が解放されてなり、前記撮み部は、前記バンド部の前記他端に配置されることが好ましい。
【００１２】
本適用例によれば、バンド部の他端部を撮み部として、その撮み部に第２電極を設けた構成となるので、部品点数を増やすことなく、安定した心電図が得られる撮み部（第２電極）を設けることができる。
【００１３】
［適用例４］  上記適用例にかかる生体情報測定装置において、前記撮み部は、前記ケース部または前記バンド部に接続された接続端と、前記ケース部または前記バンド部との接続を解除可能な自由端とを備えたことを特徴とする。
【００１４】
本適用例によれば、第２電極が設けられた撮み部を使用して心電図を取得する時に、ケース部またはバンド部から撮み部の自由端の接続を解除して撮み部を撮めるようにし、心電図を取得しない時は、撮み部の自由端をケース部またはバンド部に接続することができる。これにより、心電図を取得しない時には、撮み部が邪魔になり難くなるという効果が得られる。
【００１５】
［適用例５］  上記適用例にかかる生体情報測定装置において、前記撮み部の長さを調整可能な収容機構を有する撮み部収容部を備えたことを特徴とする。
【００１６】
本適用例によれば、第２電極未使用時（心電図を取得しない時）には、撮み部の少なくとも一部を収容機構により撮み部収容部に収容しておき、心電図を取得する第２電極使用時には、撮み部収容部に収容された撮み部を指で撮める長さだけ引き出せるようにすることできる。これにより、心電図を取得する時の他は、撮み部が邪魔になり難くなるという効果が得られる。
また、収容機構により撮み部の第２電極形成部を撮み部収容部に収容できる構成とした場合には、第２電極の未使用時の汚れが抑えられるので、心電図の誤差の原因となり得る第２電極の接触抵抗の上昇が抑えられ、誤差の少ない正確な心電図の取得を継続して行うことが可能になる。
【００１７】
［適用例６］  上記適用例にかかる生体情報測定装置において、前記収容機構は、前記第２電極を未使用時の前記撮み部の長さよりも、前記第２電極を使用時の前記撮み部の長さの方が長くなるように前記撮み部の長さを調整可能なことを特徴とする。
【００１８】
本適用例によれば、第２電極の使用時（心電図取得時）に撮み部を指で撮める状態にし、第２電極の未使用時には撮み部が邪魔にならない状態にするように、撮み部の長さ調整を行うことができる。
【００１９】
［適用例７］  上記適用例にかかる生体情報測定装置において、前記収容機構は、リール機構またはスライド機構によって構成されていることを特徴とする。
【００２０】
本適用例によれば、第２電極未使用時には撮み部を撮み部収容部に収容し、第２電極使用時には撮み部収容部から第２電極形成部が撮めるように撮み部収容部から撮み部を撮める長さだけ引き出せるように、撮み部の長さの調整を行うことが可能な収容機構を構成することができる。
【００２１】
［適用例８］  上記適用例にかかる生体情報測定装置において、前記撮み部は、前記バンド部の延出方向と前記撮み部の延出方向とに沿って前記バンド部に配置されていることを特徴とする。
【００２２】
本適用例によれば、第２電極が設けられた撮み部が、バンド部のバンドの延出方向と撮み部の延出方向とに沿ってバンド部に配置される。これにより、撮み部の長手方向がバンド部の延出方向に沿って配置されるので、スペース効率よく撮み部を設けることができ、第２電極（撮み部）未使用時に、撮み部が邪魔になり難いという効果が得られる。
【００２３】
［適用例９］  上記適用例にかかる生体情報測定装置において、前記第１電極が配置された面に、前記第１電極と絶縁された第３電極が設けられていることが好ましい。
【００２４】
本適用例によれば、バンド部によるケース部の装着状態において、第１電極とともに、常時使用者の皮膚に接触された状態が保持される第３電極が、第１電極とは絶縁されて配置される。例えば、第３電極として接地電極（グランド）を配置することによって、良好なグランドを有した、第１電極と第２電極とによる心電計を形成することができるので、より正確な心電図が得られるという効果を奏する。
【００２５】
［適用例１０］  上記適用例にかかる生体情報測定装置において、前記第３電極は不堪電極であることが好ましい。
【００２６】
本適用例によれば、バンド部によるケース部の装着状態において、第１電極とともに、常時使用者の皮膚に接触された状態が保持される不関電極が、第１電極とは絶縁されて配置される。この状態で、撮み部に設けられた第２電極を使用者が撮んで第２電極と使用者の皮膚とが接触することにより、不関電極を基準電位とした、第１電極と第２電極とによる心電計を形成することができる。これにより、心電図の基線変動（波形の揺らぎ）が抑えられ、より正確な心電図が得られるという効果を奏する。
【００２７】
［適用例１１］  上記適用例にかかる生体情報測定装置において、前記ケース部の前記使用者の体と接触する面に、前記使用者の脈波を検出する脈波検出部を有することを特徴とする。
【００２８】
本適用例によれば、使用者の心電図の他、使用者の脈波を検出することができる。従って、検出される使用者の生体情報が増えて、生体情報測定装置の汎用性および利便性を向上させることができる。
【００２９】
［適用例１２］  上記適用例にかかる生体情報測定装置において、前記ケース部の前記使用者の体と接触する面と平行な方向からの断面視において、前記脈波検出部は前記ケース部から前記使用者の皮膚へ向けて突出する突出部に設けられ、前記第１電極の少なくとも一部は、前記突出部に設けられていることが好ましい。
【００３０】
本適用例によれば、生体情報測定装置を使用者に装着した状態において、使用者の皮膚へ向けて突出する突出部に設けられた脈波検出部、および、第１電極は、使用者の皮膚により安定的に接触する。したがって、より正確な心電および脈波を得ることができるという効果を奏する。
【００３１】
［適用例１３］  上記適用例にかかる生体情報測定装置において、前記第１電極が配置された面に、前記使用者の脈波を検出する検出窓部を有することを特徴とする。
【００３２】
本適用例によれば、使用者の心電図とともに、第１電極が配置された面に有する検出窓部により使用者の脈波を検出することができるので、検出される使用者の生体情報が増え、汎用性および利便性の高い生体情報測定装置を提供することができる。
【００３３】
［適用例１４］  上記適用例にかかる生体情報測定装置において、前記ケース部の前記使用者の体と接触する面と平行な方向からの側面視において、前記ケース部は、前記検出窓部に隣接し、前記ケース部から前記使用者の皮膚へ向けて突出する突出部を有し、前記第１電極の少なくとも一部は、前記突出部に設けられていることを特徴とする。
【００３４】
本適用例によれば、使用者の皮膚へ向けて突出する突出部に設けられた脈波検出部および第１電極は、使用者の皮膚により安定的に接触するので、より正確な心電および脈波を得ることができる。
【００３５】
［適用例１５］  上記適用例にかかる生体情報測定装置において、前記第２電極は、凹部を有することが好ましい。
【００３６】
本適用例によれば、使用者が撮み部を指で撮んだときに、第２電極が有する凹部に指がフィットして、第２電極に対する指の接触状態が良好に保持されるので、より正確な心電を得ることが可能になる。
【図面の簡単な説明】
【００３７】
【図１】（Ａ）は、本発明の第１実施形態に係る生体情報測定装置を示す正面図、（Ｂ）は、（Ａ）のａ−ａ線部分断面図。
【図２】上記第１実施形態における生体情報測定装置を示す背面図。
【図３】上記第１実施形態における生体情報測定装置の構成を示すブロック図。
【図４】上記第１実施形態における計測部の構成を示すブロック図。
【図５】上記第１実施形態における心電測定部の構成を示すブロック図。
【図６】上記第１実施形態における制御部の構成を示すブロック図。
【図７】上記第１実施形態における脈波および心電の波形の一例を示す図。
【図８】（Ａ）は、従来の生体情報測定装置における心電の波形の一例を示す図、（Ｂ）は、上記第１実施形態における心電の波形の一例を示す図。
【図９】上記第１実施形態における生体情報測定装置の装着状態（生体情報測定状態）を示す模式図。
【図１０】本発明の第２実施形態に係る生体情報測定装置を装着状態にて示すものであり、（Ａ）は非測定状態を示す模式図、（Ｂ）は測定状態を示す模式図。
【図１１】本発明の第３実施形態に係る生体情報測定装置を装着状態にて示すものであり、（Ａ）は非測定状態を示す模式図、（Ｂ）は測定状態を示す模式図。
【図１２】本発明の第４実施形態の生体情報測定装置を装着状態（測定状態）にて示す模式図。
【図１３】生体情報測定装置の変形例１を示すものであり、（Ａ）は非測定状態を示す模式図、（Ｂ）は測定状態を示す模式図。
【図１４】生体情報測定装置の変形例２を示すものであり、（Ａ）は非測定状態を示す模式図、（Ｂ）は測定状態を示す模式図。
【図１５】本発明の第５実施形態に係る生体情報測定装置を示す背面図。
【図１６】上記第５実施形態における本体部および透光性部材を示す断面図。
【図１７】上記第５実施形態における電極の配置・形状の他の態様を示す生体情報測定装置の背面図。
【図１８】図１７のＢ−Ｂ線断面図。
【発明を実施するための形態】
【００３８】
以下、本発明の実施形態について、図面を参照して説明する。なお、以下の各図においては、各層や各部材を認識可能な程度の大きさにするため、各層や各部材について実際とは異なる尺度で示している場合がある。
【００３９】
（第１実施形態）
［生体情報測定装置の概略構成］
まず、生体情報測定装置の概略構成について説明する。図１（Ａ）は、本発明の第１実施形態に係る生体情報測定装置を示す正面図、（Ｂ）は、（Ａ）のａ−ａ線部分断面図である。
図１において、本実施形態に係る生体情報測定装置（以下、測定装置と略す場合がある）１Ａは、使用者の手首等の装着部位に装着されて利用される腕時計型のウェアラブル機器であり、当該使用者の生体情報を検出および記憶する。具体的に、測定装置１Ａは、使用者の生体情報としての脈波および心電を検出し、当該心電を記憶するとともに、検出された脈波に基づいて脈拍数を算出して記憶するものである。
このような測定装置１Ａは、図１に示すように、本体部２１Ａを有するケース部２Ａと、一対のバンド２８，２９と、ケース部２Ａに収納される装置本体３と、を備える。
【００４０】
一対のバンド２８，２９は、本発明の装着部材であるバンド部に相当し、ケース部２Ａ（本体部２１Ａ）の延出方向（長手方向）における一端および他端に接続され、当該ケース部２Ａに対して互いに反対方向に延出している。この一対のバンド２８，２９は、当該バンド２８の先端（ケース部２Ａとの接続部位とは反対側の端部）に設けられた中留３０により固定可能に構成されている。このように、バンド２８，２９が固定されることにより、ケース部２Ａが上記装着部位に装着される。なお、バンド２８，２９は、ケース部２Ａと一体化されていてもよい。
【００４１】
また、バンド２９（第１のバンド）の先端部（ケース部２Ａと接続される一端とは反対側の他端）は、使用者が指で撮み易い形状の撮み部１０Ａが形成されている。使用者が指で撮み易い形状として、本実施形態では、図１（Ｂ）に示すように、撮み部１０Ａの指で撮まれる面（両主面）が、指の形状が追従され易いように凹状の曲面を有して形成されている。あるいは、撮み部１０Ａの一部が窪んでおり、撮み部１０Ａが凹部を有しているということもできる。また、撮み部１０Ａの指で撮まれる面には、後述する計測部５の心電測定部５４を構成する複数の電極のうちの第２電極５４１Ａが配置される。本実施形態では、撮み部１０Ａの使用者の皮膚と接触する両面に第２電極５４１Ａが設けられている。ここで、指で撮むとは、物体の異なる面、あるいは異なる位置に複数の指を接触させることで、物体を複数の指で挟む、あるいは指と離れない状態にする動作を意味する。
【００４２】
ケース部２Ａの本体部２１Ａは、後述する装置本体３を収納する。この本体部２１Ａは、測定装置１Ａを使用者の体に装着した時に当該使用者の体と接触する面である背面２１２（第１の面）と、背面２１２と向かい合う面である正面２１１（第２の面）と、これらを接続する右側面２１３および左側面２１４と、を有する。すなわち、背面２１２は、本体部２１Ａにおいて、使用者の体（皮膚）に接触する面、または、後述する第１電極５４２１、および脈波検出部５３の脈波センサー５３１が配置される面、或いは、当該脈波センサー５３１を覆う透光性部材が配置される面である。
一方、正面２１１は、背面２１２とは反対側の面、または、後述の表示部６１を有する面、或いは、ケース部２Ａまたは本体部２１Ａの使用者の皮膚と接触する面に対して背面になる方向の面、即ち、使用者の皮膚から最も離れた面である。
これらのうち、正面２１１の略中央には、装置本体３を構成する表示部６１が設けられ、当該表示部６１は、円形状のカバー２２により覆われている。なお、正面２１１は、表示部６１における表示面の法線に沿って見て背面２１２とは反対側の１つの面である。このため、正面２１１は、一つの平面であってもよいし、部分的に曲面や凹凸を有していてもよい。
【００４３】
また、正面２１１には、表示部６１およびカバー２２を囲む環状のベゼル２３が設けられている。
また、右側面２１３および左側面２１４には、装置本体３を構成する操作部４のボタン４１〜４４が配置されている。これらボタン４１〜４４は、本体部２１Ａに対して突没するボタンである。
【００４４】
図２は、測定装置１Ａを示す背面図であり、詳しくは、本体部２１Ａの背面２１２を示す図である。
背面２１２（第２面に相当）は、測定装置１Ａが上記装着部位に装着された場合に当該装着部位に対向する面（装着状態において使用者の皮膚と接触する面）である。この背面２１２には、心電測定部５４を構成する背面側電極５４２と、脈波センサー５３１と、が配置されている。
背面側電極５４２は、本実施形態では、第１電極５４２１と、不関電極５４２２との２つの電極を有する。これらのうち、第１電極５４２１は、略円形状に形成され、脈波センサー５３１を囲む位置に露出して配設されている。また、不関電極５４２２は、略円形状に形成され、第１電極５４２１を囲む位置に、絶縁体２４を介して、露出して配設されている。これにより、不関電極５４２２は、第１電極５４２１と絶縁された態様で配置される。また、第１電極５４２１および不関電極５４２２は、円形状の脈波センサー５３１の中央Ｃ２を中心としてそれぞれ同心円状に配設されている。
脈波センサー５３１は、計測部５の脈波検出部５３を構成する略円形状のセンサーであり、背面２１２の略中央に配設されている。なお、脈波センサー５３１は、背面２１２に直接配置されていてもよく、本体部２１Ａ内に設けられる装置本体３に設けられ、当該脈波センサー５３１の発光素子および受光素子を覆う透光性部材が、背面２１２に取り付けられていてもよい。
【００４５】
［装置本体の構成］
図３は、測定装置１Ａの構成を示すブロック図である。
装置本体３は、図３に示すように、操作部４、計測部５、報知部６、通信部７、記憶部８および制御部９を備えて構成されている。
【００４６】
［操作部の構成］
操作部４は、上記ボタン４１〜４４を有し、これらボタン４１〜４４に対する入力操作に応じた操作信号を制御部９に出力する。なお、操作部４は、ボタンを有する構成に限らず、後述する報知部６の表示部６１上に配置されるタッチパネルを有する構成や、使用者のタップ操作を検出する構成であってもよい。
【００４７】
［計測部の構成］
図４は、計測部５の構成を示すブロック図である。
計測部５は、それぞれ制御部９による制御の下で動作する体動情報検出部５１および生体情報検出部５２を有する。
体動情報検出部５１は、使用者の体動を示す体動情報を検出し、当該体動情報を制御部９に出力する。本実施形態では、体動情報検出部５１は、体動センサー、例えば加速度センサーを備え、使用者の体動に伴って変化する加速度信号を体動情報として検出する。なお、体動情報検出部５１は、加速度に加えて、使用者の体動に伴って変化する角速度を検出してもよい。
【００４８】
［生体情報検出部の構成］
生体情報検出部５２は、使用者の生体情報を検出する。本実施形態では、生体情報検出部５２は、心電測定部５４および脈波検出部５３を有する。
【００４９】
［脈波検出部の構成］
脈波検出部５３は、上記脈波センサー５３１を有し、制御部９による制御の下、使用者の脈波を検出する。この脈波センサー５３１は、図示を省略するが、ＬＥＤ（Light Emitting Diode）等の発光素子と、フォトダイオード等の受光素子と、これらを覆う透光性部材と、を有する光電センサーである。この脈波センサーでは、発光素子により生体に向けて照射された光は、生体の血管を経由して受光素子により受光される。この受光素子による受光量の時間変化を示す信号が脈波信号として後述する制御部９に出力され、当該制御部９が脈波信号を解析することにより、脈拍数が算出される。
【００５０】
［心電測定部の構成］
図５は、心電測定部５４の構成を示すブロック図である。
心電測定部５４は、使用者の心電を検出して、当該心電を示す心電信号を制御部９に出力する。この心電測定部５４は、上述した第１電極５４２１および不関電極５４２２（背面側電極５４２）と、第２電極５４１Ａとの他、図５に示すように、ＡＦＥ（Analog Front End）５４５、Ａ／Ｄコンバーター５４６および心電検出部５４７を有する。心電測定部５４には、測定装置１Ａを制御する制御部９が接続されている。
【００５１】
心電測定部５４において、心電検出部５４７は、制御部９による制御の下、第２電極５４１Ａと、第１電極５４２１および不関電極５４２２とを用いて、測定装置１Ａを装着した使用者の心電を検出する。具体的には、第２電極５４１Ａ、第１電極５４２１および不関電極５４２２により検出される微小なレベルで且つ不安定なアナログ信号は、ＡＦＥ５４５に入力され、周波数帯域制限および信号増幅を施されてＡ／Ｄコンバーター５４６に出力される。Ａ／Ｄコンバーター５４６は、ＡＦＥ５４５から入力されるアナログ信号をＡ／Ｄ変換して心電検出部５４７に出力する。
【００５２】
心電検出部５４７は、Ａ／Ｄコンバーター５４６から入力される信号を処理し、当該信号に基づく心電信号を制御部９に出力する信号処理を行う。具体的に、心電検出部５４７は、入力される信号をフィルタリングしてノイズ成分を除去し、得られた心電信号を制御部９に出力する。
【００５３】
［報知部の構成］
図３に戻り、報知部６は、制御部９による制御の下、各種情報を使用者に報知する。この報知部６は、表示部６１、音声出力部６２および振動部６３を有する。
表示部６１は、液晶等の各種表示パネルを有し、制御部９から入力される情報を表示する。例えば、表示部６１は、上記計測部５によって検出されて解析された体動情報や生体情報（心電および脈拍数）を表示する。更に、表示部６１は、制御部９によって生成された提示情報を表示する。
音声出力部６２は、スピーカー等の音声出力手段を備えて構成され、制御部９から入力される音声信号に応じた音声を出力する。
振動部６３は、制御部９により動作が制御されるモーターを有し、当該モーターの駆動によって発生する振動により、例えば警告を使用者に報知する。
なお、報知部６は、上述した表示部６１、音声出力部６２および振動部６３のうち、少なくともいずれか１つを有していればよい。
【００５４】
［通信部の構成］
通信部７は、外部機器と通信可能な通信モジュールを有する。この通信部７は、それぞれ検出および測定された体動情報および生体情報を当該外部機器に定期的に送信する他、当該外部機器から受信される情報を、制御部９に出力する。なお、本実施形態では、通信部７は、近距離無線通信方式により外部機器と無線で通信するが、クレードル等の中継装置やケーブルを介して外部機器と通信してもよい。更に、通信部７は、ネットワークを介して外部機器と通信してもよい。
【００５５】
［記憶部の構成］
記憶部８は、フラッシュメモリー等の記憶手段により構成されており、制御情報記憶部８１および検出情報記憶部８２を有する。
制御情報記憶部８１は、測定装置１Ａの動作に必要な各種プログラムおよびデータ等の制御情報を記憶している。このようなプログラムとして、測定装置１Ａを制御する制御プログラムや、心電測定処理を実行させる心電測定プログラムが記憶されている。
検出情報記憶部８２は、上記計測部５により検出された体動情報および生体情報と、制御部９による体動情報および生体情報の解析結果（例えば脈拍数や心電）と、を記憶する。この検出情報記憶部８２は、これらの情報を順次記憶し、記憶容量が不足すると、最も先に記憶した情報を新たに取得した情報で上書きする構成とされている。
【００５６】
［制御部の構成］
図６は、制御部９の構成を示すブロック図である。
制御部９は、処理回路を有し、自律的に、或いは、上記操作部４から入力される操作信号に応じて、測定装置１Ａの動作を制御する。この制御部９は、例えば、上記計測部５を制御して、体動情報および生体情報を検出させる。この際、制御部９は、心電測定部５４により使用者の心電を検出および測定する場合には、心電測定部５４による心電の仮測定を実施させる。
このような制御部９は、上記処理回路が制御情報記憶部８１に記憶されたプログラムを実行することで実現される機能部として、図６に示すように、計時部９１、報知制御部９２、通信制御部９３、検出制御部９４、解析部９５、および異常判定部９６を有する。
【００５７】
［計時部、報知制御部および通信制御部の構成］
計時部９１は、現在日時を計時する。
報知制御部９２は、報知部６の動作を制御する。例えば、報知制御部９２は、測定装置１Ａの動作状態、および、計測部５による検出結果等を示す表示や音声を含む提示情報を報知部６に報知させる。また、報知制御部９２は、必要に応じて振動部６３のモーターを駆動させ、当該モーターの駆動によって発生する振動により、所定の情報を報知させる。
通信制御部９３は、上記通信部７の動作を制御する。
【００５８】
［検出制御部の構成］
検出制御部９４は、上記計測部５の動作を制御する。例えば、検出制御部９４は、使用者の体動を体動情報検出部５１に検出させる他、使用者の脈波を脈波検出部５３に検出させる。そして、検出制御部９４は、これら体動を示す加速度信号および脈波を示す脈波信号を、上記現在日時とともに上記検出情報記憶部８２に記憶させる。
また、検出制御部９４は、心電測定部５４によって心電の仮測定を実施させる。そして、検出制御部９４は、心電の測定（本測定）を心電測定部５４に実施させ、測定された心電を示す心電信号を、上記現在日時とともに検出情報記憶部８２に記憶させる。なお、検出制御部９４は、脈波信号に基づいて算出された脈拍数を、生体情報として、現在日時とともに検出情報記憶部８２に記憶させてもよい。
【００５９】
［解析部の構成］
解析部９５は、体動情報検出部５１および生体情報検出部５２から入力される体動情報および生体情報を解析する。
具体的に、解析部９５は、脈波検出部５３から入力される脈波信号、および、体動情報検出部５１から入力される加速度信号に基づいて、使用者の脈拍数を算出する。例えば、解析部９５は、脈波信号から加速度信号に基づく体動ノイズ成分を除去して、拍動信号を得る。そして、解析部９５は、当該拍動信号に対してＦＦＴ（高速フーリエ変換：Fast Fourier Transform）等の周波数解析を行い、得られた解析結果（パワースペクトル）から脈拍の周波数を抽出し、当該脈拍の周波数に基づいて脈拍数を算出する。なお、解析部９５は、このような脈拍数の算出に限らず、他の手法により脈拍数を算出してもよい。
【００６０】
また、解析部９５は、上記周波数解析の解析結果に基づいて、フレーム毎にＲＲ間隔（脈波信号に含まれる一番鋭いピークであるＲ波と、１つ前のＲ波との時間差）の時間変化を示すＲＲ波形信号を生成する。更に、解析部９５は、ＲＲ間隔の心拍変動係数ＣＶＲＲを算出し、当該心拍変動係数ＣＶＲＲの時間変化を示す変動係数波形信号を生成する。
【００６１】
更に、解析部９５は、上記加速度信号に基づいて、使用者の歩調（ピッチ）を算出する。例えば、解析部９５は、加速度信号に上記と同様の周波数解析を行い、得られる解析結果から体動の周波数を抽出し、当該体動の周波数に基づいて歩調を算出する。
加えて、解析部９５は、心電測定部５４から入力される心電信号を解析する。
そして、解析部９５は、算出された脈拍数および歩調、並びに、心電の解析結果を、上記検出情報記憶部８２に記憶させる。
【００６２】
［異常判定部の構成］
異常判定部９６は、解析部９５によって生成されたＲＲ波形信号および変動係数波形信号や、算出された脈拍数から、不整脈に分類される異常が使用者に発生したか否かを判定する。このような不整脈として、心房細動、期外収縮、頻脈および徐脈が挙げられる。
【００６３】
心房細動は、心房の拍動数が１分間で３００回以上になり、心臓が速く不規則に拍動する状態となり、ひいては、血液が心臓内に停滞してしまう状態を指す。この心房細動が発生した場合、上記ＲＲ波形信号の振幅が大きくなる他、上記心拍変動係数ＣＶＲＲが大きく変化する。このため、これらに基づいて、異常判定部９６は、心房細動が発生したか否かを判定する。しかしながら、これに限らず、異常判定部９６は、他の方法によって心房細動が発生したか否かを判定してもよい。例えば、異常判定部９６は、過去の心房細動の発生時の脈波信号の波形と、上記脈波信号の波形とのマッチングを行い、略同一と判定した場合に、心房細動が発生したと判定してもよい。
【００６４】
期外収縮は、異常な刺激によって心臓が本来の周期を外れて早く収縮する状態を指す。この期外収縮が発生した場合、脈波信号には正常洞調律の波形とは異なる波形が含まれることとなる。このため、異常判定部９６は、期外収縮の発生時の波形と、取得された脈波信号の波形とのマッチングを行い、略同一と判定した場合に、期外収縮が発生したと判定する。なお、当該期外収縮の発生時の波形は、平均的な波形でもよく、使用者において過去に発生した期外収縮の波形でもよい。
【００６５】
頻脈は、脈が異常に速くなる状態を指し、徐脈は、異常に遅くなる状態を指す。例えば、安静時心拍数が６０〜７０ｂｐｍである一般成人の脈が、運動時以外で１００ｂｐｍを超える状態となった場合には頻脈が疑われ、５０ｂｐｍ以下の状態となった場合には徐脈が疑われる。
これらのうち、頻脈が発生した場合には、上記ＲＲ間隔が通常時より短い状態が継続し、徐脈が発生した場合には、上記ＲＲ間隔が通常時より長い状態が継続する。このため、異常判定部９６は、ＲＲ間隔が使用者に応じて設定された頻脈の閾値を超えている状態が所定時間継続する場合に頻脈が発生したと判定し、また、ＲＲ間隔が使用者に応じて設定された徐脈の閾値（頻脈の閾値より低い閾値）未満である状態が所定時間継続する場合に徐脈が発生したと判定する。
【００６６】
このような異常判定部９６によって、不整脈に分類される異常が使用者に発生したと判定されると、上記報知制御部９２が、使用者に心電の測定を促す提示情報を報知部６に報知させる。例えば、報知制御部９２は、心電の測定を促すメッセージを表示部６１に表示させる。この他、例えば、報知制御部９２は、音声出力部６２に所定の音声（例えば警告音）を出力させたり、振動部６３に上記振動を発生させたりする。
【００６７】
［心電測定処理］
次に、本実施形態の測定装置１Ａによる生体情報測定処理の説明、特に、心電測定処理において得られる効果について詳細に説明する。
図７は、測定される脈波および心電のそれぞれの波形の一例を示す図である。図８（Ａ）は、従来の生体情報測定装置により測定される心電波形の一例を示す図であり、図８（Ｂ）は、本実施形態の生体情報測定装置１Ａにより測定された心電波形の一例を示す図である。また、図９は、本実施形態における生体情報測定装置１Ａの装着状態（生体情報測定状態）を示す模式図である。
【００６８】
上述した生体情報測定装置１Ａにより測定される脈波および心電の波形の一例を図７に示す。図７の脈波および心電の波形（矢印Ａの部位）は、誤差等の含まれない正常な波形を示している。しかし、心電の計測は、生体情報測定のなかでも、特に広い周波数帯域（例えば、０．１Ｈｚ〜４０Ｈｚ）の成分を要求されるので、測定電極（第１電極５４２１および第２電極５４１Ａ）と生体との接触状態が不安定であったりすると、心電の周波数とは異なる外乱要素の周波数に影響により、得られる心電波形が乱れてしまう虞がある。ここで、測定電極と生体との接触状態が不安定になり易い従来の心電測定部の構成について説明し、次いで、本実施形態の心電測定部５４（図５参照）による効果について説明する。
【００６９】
従来の測定装置の心電測定部として、一対の測定電極のうち、第１電極は、ケース部またはバンド部の使用者の生体（皮膚）に接触する面に設けられ、第２電極は、第１電極が設けられた面とは異なる面、例えば、ケース部の側面に設けられた構成のものが知られている。この従来の測定装置は、使用者の腕に装着した状態において、第１電極は常時使用者の生体に接触されており、生体情報測定装置が装着された腕とは異なる側の手の指を第２電極に接触させることによって、心電の測定が可能になる。しかし、このように第２電極に指を押し付ける方法では、第２電極と使用者の指（皮膚）との接触状態を、測定に要する所定の時間（例えば、１分間）安定的に保持するのは困難であり、第２電極と生体との接触が不安定になり易かった。測定電極と生体との接触状態が不安定な状態では、例えば、接触抵抗の変動により、心電波形の基線が大きく乱れてしまったり、商用電源からの電磁誘導ノイズ等の影響を受けたりすると、ＳＮ比が低下してしまうなどの悪影響が生じる。図８Ａは、上述した、測定電極と生体との接触状態が不安定なことにより、基線に乱れや揺らぎが生じた心電の波形を示している。
【００７０】
［第１実施形態の効果］
これに対し、本実施形態での測定装置１Ａは、バンド２９の先端部に、使用者が指で撮み易い形状の撮み部１０Ａが形成され、その撮み部１０Ａの指で撮まれる両面に第２電極５４１Ａが形成されている（図１を参照）。そして、図９に示すように、測定装置１Ａを使用者の左腕ＬＡの手首（左手首）ＬＷに装着した状態では、上述した背面側電極５４２の第１電極５４２１および不関電極５４２２は、当該左手首ＬＷの肌に常時接触する。また、この状態で、使用者の右手ＲＨの親指ＲＨ１および人差し指ＲＨ２で撮み部１０Ａを撮むことにより、撮み部１０Ａの両面に設けられた第２電極５４１Ａにしっかりと接触できるようにした。これにより、指で第２電極を押える従来の構成に比して、第２電極５４１Ａに対する使用者の皮膚の接触状態が安定して保持され易くなるので、使用者の心電とは異なる外乱要因によって生じる電位の変動による心電波形の乱れが抑えられ、精度の高い心電図を得ることができる。
【００７１】
しかも、本実施形態の測定装置１Ａでは、ケース部２Ａの背面２１２に、心電測定部５４を構成する背面側電極５４２として、測定電極である第１電極５４２１とともに、不関電極５４２２が第１電極５４２１と絶縁された態様で配置されている。不関電極５４２２は、第１電極５４２１および第２電極５４１Ａを用いて心電信号を誘導する際に、心電の計測対象部位から離れた部位に設置される電極であり、計測対象部位の電気的活動の影響を受けない位置にある電極である。計測対象部位の電気的活動の影響を受けない不関電極５４２２は、心電計測において電位の基準となる基準電極として利用できる。これにより、心電波形をより正確に測定および記録することが可能になっている。
【００７２】
以上説明した本実施形態に係る測定装置１Ａによれば、撮み部１０Ａに形成された第２電極５４１Ａ、および、背面側電極５４２として第１電極５４２１と同じ面に配置された不関電極５４２２により、図８（Ｂ）に示すような、基線の乱れや揺らぎが抑えられた精確な心電波形の測定および記録をすることができる効果が得られる。
【００７３】
また、本実施形態の測定装置１Ａでは、バンド２９の解放された端部（他端）を撮み部１０Ａとして利用し、その撮み部１０Ａに第２電極５４１Ａを形成した。これにより、腕時計型の測定装置１Ａの部品点数を増やすことなく、安定した心電図が得られる撮み部１０Ａ（第２電極５４１Ａ）を設けることができる。
【００７４】
また、本実施形態では、撮み部１０Ａの皮膚と接触する両面に第２電極５４１Ａを設ける構成とした。しかも、撮み部１０Ａの皮膚と接触する面（第２電極５４１Ａを形成する面）は、指の形状が追従され易いように凹状の曲面とした。これらの構成により、第２電極５４１Ａに対する使用者の皮膚の接触状態がより良好に保持され、より正確な心電波形を測定および記録することが可能となる。
また、本実施形態では、撮み部１０Ａの使用者の皮膚と接触する両面に第２電極５４１Ａが設けられているが、これに限られるものでは無い。例えば、第２電極は撮み部１０Ａのどちらか一面に設けられても良い。この場合には、バンド２８の使用者の皮膚と接触しない方の面に第２電極を設けることが好ましい。このように構成することで、必要最小限の電極で安定した心電測定を実施することができるため、装置コストを低減させることができる。
【００７５】
（第２実施形態）
図１０は、本発明の第２実施形態に係る生体情報測定装置を装着状態にて示すものであり、（Ａ）は非測定状態を示す模式図、（Ｂ）は測定状態を示す模式図である。
本実施形態に係る生体情報測定装置１Ｂについて、図１０を参照して説明する。なお、第１実施形態と同一の構成部位については、同一の番号を使用し、重複する説明は省略する。
【００７６】
図１０（Ａ）に示す第２実施形態の生体情報測定装置１Ｂは、ケース部（本体部）２Ｂを使用者に装着するバンド２８，２９のうち一方のバンド２８に、撮み部１０Ｂと、撮み部１０Ｂの少なくとも一部を収容したり、収容した撮み部１０Ｂを所定量引き出したりすることが可能な撮み部収容機構を有する撮み部収容部１５Ｂとを有している。ここで、撮み部１０Ｂを引き出すとは、撮み部１０Ｂの撮み部収容部１５Ｂからの突出量を大きくする操作を意味し、撮み部収容部１５Ｂから露出する撮み部１０Ｂの長さを変える操作である。
撮み部１０Ｂは、使用者が指で撮み易い形状、例えば、短冊形状を有している。短冊形状の撮み部１０Ｂは、バンド２８に接続される接続端と、その接続端とは反対側の端部である自由端とを有し、自由端側に第２電極５４１Ｂが設けられている。第２電極５４１Ｂは、撮み部１０Ｂの両面に設けられている（図１０（Ｂ）を参照）。撮み部１０Ｂの接続端側は、例えばリール機構やスライド機構などの撮み部収容機構に接続され、その撮み部収容機構によって、撮み部１０Ｂの接続端側の少なくとも一部が撮み部収容部１５Ｂに収容されたり（図１０（Ａ）の状態）、撮み部１０Ｂの自由端側が撮み部収容部１５Ｂから外に引き出されたり（図１０（Ｂ）の状態）することが可能になっている。また、短冊形状の撮み部１０Ｂは、その自由端から接続端への延出方向（長手方向）を、バンド２８の延出方向（長手方向）に沿わせて配置されている。
【００７７】
図１０（Ａ）は、心電の測定を行っていない時（第２電極５４１Ｂ未使用時）の状態を示している。具体的には、測定装置１Ｂを使用者の左腕ＬＡの手首（左手首）ＬＷに装着した状態において、撮み部１０Ｂの上記接続端側の少なくとも一部（本実施形態では撮み部１０Ｂの大部分）が、撮み部収容機構により撮み部収容部１５Ｂに収容されている。
【００７８】
心電の測定を行う第２電極５４１Ｂ使用時には、図１０（Ｂ）に示すように、撮み部収容機構により撮み部１０Ｂを撮み部収容部１５Ｂから所定量引き出して、撮み部１０Ｂの第２電極５４１Ｂを使用者の右手の指で撮める状態にする。そして、上記第１実施形態と同様に、使用者の右手ＲＨの親指ＲＨ１および人差し指ＲＨ２（図９を参照）で撮み部１０Ｂの第２電極５４１Ｂを撮み、ケース部２Ｂの背面側電極の第１電極（不図示）と第２電極５４１Ｂとを用いた心電の測定を行う。
【００７９】
以上述べたように、本実施形態に係る測定装置１Ｂによれば、上述した第１実施形態での効果に加えて、以下の効果を得ることができる。
本実施形態の測定装置１Ｂでは、第２電極５４１Ｂ未使用時（心電を測定しない時）には、撮み部１０Ｂの接続端側の少なくとも一部を撮み部収容機構により撮み部収容部１５Ｂに収容し、心電を測定する第２電極５４１Ｂ使用時には、撮み部収容部１５Ｂに収容された撮み部１０Ｂの自由端側を撮み部収容機構により所定量引き出せる構造とした。これにより、心電を測定する時の他は、撮み部１０Ｂが邪魔になり難くなるという効果が得られる。
【００８０】
また、撮み部収容部１５Ｂに、第２電極５４１Ｂ形成部を含む撮み部１０Ｂの大部分を収容する本実施形態の構成によれば、第２電極５４１Ｂ未使用時の汚れやストレスが抑えられるので、心電の測定結果（波形）の乱れの原因となり得る第２電極５４１Ｂの接触抵抗の上昇などが抑えられ、誤差の少ない正確な心電の取得を継続して行うことが可能になる。
【００８１】
また、本実施形態では、短冊形状の撮み部１０Ｂが、その自由端から接続端への延出方向を、バンド２８の延出方向に沿わせて配置されているので、スペース効率よく撮み部１０Ｂを設けることができ、第２電極５４１Ｂ（撮み部１０Ｂ）未使用時（心電を測定しない時）に、撮み部１０Ｂがより邪魔になり難いという効果が得られる。
また、本実施形態では、撮み部１０Ｂをケース部２Ｂの正面方向へ引き出す構成としたが、他の方向へ撮み部１０Ｂを引き出せるように構成しても良い。例えば、ケース部２Ｂからのバンド（第１バンド）２８の延出方向に撮み部１０Ｂを引き出せるように構成しても良いし、ケース部２Ｂからのバンド（第１バンド）２８の延出方向と垂直方向に撮み部１０Ｂを引き出せるように構成しても良い。さらにその他の方向へ撮み部１０Ｂを引き出せるように構成することができる。
【００８２】
（第３実施形態）
図１１は、本発明の第３実施形態に係る生体情報測定装置を装着状態にて示すものであり、（Ａ）は非測定状態を示す模式図、（Ｂ）は測定状態を示す模式図である。
本実施形態に係る生体情報測定装置１Ｃについて、図１１を参照して説明する。なお、第１実施形態と同一の構成部位については、同一の番号を使用し、重複する説明は省略する。
【００８３】
図１１（Ａ）に示す第３実施形態の生体情報測定装置１Ｃは、バンド２８により使用者に装着されるケース部（本体部）２Ｃの一側面に、撮み部１０Ｃと、撮み部１０Ｃの少なくとも一部を収容したり、収容した撮み部１０Ｃを所定量引き出したりすることが可能な撮み部収容機構を有する撮み部収容部１５Ｃとを有している。
撮み部１０Ｃは、使用者が指で撮み易い短冊形状を有し、ケース部２Ｃに接続される接続端と、その接続端とは反対側の自由端とを有し、自由端側の両面に第２電極５４１Ｃが設けられている（図１１（Ｂ）を参照）。撮み部１０Ｃの接続端側は、リール機構やスライド機構などの撮み部収容機構によって、撮み部１０Ｃの接続端側の少なくとも一部が撮み部収容部１５Ｃに収容されたり（図１１（Ａ）の状態）、撮み部１０Ｃの自由端側が撮み部収容部１５Ｃから外に引き出されたり（図１１（Ｂ）の状態）することが可能になっている。
【００８４】
図１１（Ａ）は、心電の測定を行っていない時（第２電極５４１Ｃ未使用時）の状態を示し、撮み部１０Ｃの接続端側の少なくとも一部（本実施形態では撮み部１０Ｃの大部分）が、撮み部収容機構によりケース部２Ｃの撮み部収容部１５Ｃに収容されている。
【００８５】
心電の測定を行う第２電極５４１Ｃ使用時には、図１１（Ｂ）に示すように、撮み部収容機構により撮み部１０Ｃをケース部２Ｃの撮み部収容部１５Ｃから所定量引き出して、撮み部１０Ｃの第２電極５４１Ｃを使用者の右手の指で撮める状態にする。そして、使用者の右手の親指および人差しで撮み部１０Ｃの第２電極５４１Ｃを撮み、ケース部２Ｃの背面側電極の第１電極（不図示）と第２電極５４１Ｃとを用いた心電の測定を行う。
【００８６】
本実施形態の測定装置１Ｃによれば、上記第２実施形態と同様に、第２電極５４１Ｃ未使用時（心電を測定しない時）に、撮み部１０Ｃの接続端側の少なくとも一部を収容できる撮み部収容部１５Ｃを備えているので、心電を取得する時の他は撮み部１０Ｃが邪魔になり難く、また、汚れやストレスから保護することができる効果が得られる。
【００８７】
また、本実施形態の測定装置１Ｃでは、第２電極５４１Ｃが設けられた撮み部１０Ｃがケース部２Ｃに設けられた撮み部収容部１５Ｃに収容可能に配置されているので、測定装置１Ｃのバンド２８の交換が必要な場合に、撮み部１０Ｃのことを考慮することなく、必要に応じて交換することができる。
なお、第２実施形態および第３実施形態においては、生体情報測定装置を使用者の手首に装着した際、手首の橈骨と尺骨のうち、橈骨側に撮み部を設けることが好ましい。このように構成することで、自然な姿勢で撮み部を操作することができる。
【００８８】
（第４実施形態）
図１２は、本発明の第４実施形態の生体情報測定装置を装着状態（測定状態）にて示す模式図である。
本実施形態に係る生体情報測定装置１Ｄについて、図面を参照して説明する。なお、上記実施形態と同一の構成部位については、同一の番号を使用し、重複する説明は省略する。
【００８９】
図１２において、本実施形態に係る測定装置１Ｄは、バンド２８により使用者に装着されるケース部（本体部）２Ｄの正面側（使用者の手首ＬＷの皮膚と接触する背面側とは反対側）に、ヒンジにより開閉可能に配置された撮み部としての上蓋部１０Ｄが備えられている。上蓋部１０Ｄは、使用者が撮み易い形状を有しており、撮まれる領域の両面に第２電極５４１Ｄが設けられている。
【００９０】
心電の測定を行う第２電極５４１Ｄ使用時には、図１２に示すように、撮み部としての上蓋部１０Ｄをヒンジにより開けた状態にして、上蓋部１０Ｄの第２電極５４１Ｄ形成領域（撮み部）を使用者の指（例えば、右手の親指および人差し指）で撮み、ケース部２Ｄの背面側電極の第１電極（不図示）と第２電極５４１Ｄとを用いた心電の測定を行う。
また、心電の測定を行っていない時（第２電極５４１Ｄ未使用時）は、上蓋部１０Ｄをヒンジにより閉じた状態にする。
【００９１】
本実施形態の測定装置１Ｄによれば、腕時計型の生体情報測定装置としてのサイズの増大を最小限に抑えながら、使用者の指で撮む領域の両面に第２電極５４１Ｄが設けられた撮み部としての上蓋部１０Ｄを備えることにより、上記実施形態と同様な効果を得ることができる。
【００９２】
なお、本発明は上述した実施形態に限定されず、上述した実施形態に種々の変更や改良などを加えることが可能である。変形例を以下に述べる。
【００９３】
（変形例１）
図１３は、生体情報測定装置の変形例１を示すものであり、（Ａ）は非測定状態を示す模式図、（Ｂ）は測定状態を示す模式図。
上記第２実施形態では、図１０のように、バンド部２８に、撮み部１０Ｂを収容および引き出し可能な撮み部収容機構を有する撮み部収容部１５Ｂを設け、心電の非測定時には撮み部１０Ｂを撮み部収容部１５Ｂに収容する構成について説明したが、この構成に限定するものではない。
以下、変形例１に係る生体情報測定装置１Ｅについて説明する。なお、上記実施形態と同一の構成部位については、同一の番号を附し、重複する説明は省略する。
【００９４】
図１３に示すように、本変形例にかかる測定装置１Ｅは、バンド２８，２９のうち一方のバンド２８にヒンジを介して接続された接続端１１Ｅと、接続端１１Ｅの反対側の端部である自由端１２Ｅとを有した撮み部１０Ｅが設けられている。また、バンド２８には、撮み部１０Ｅの自由端１２Ｅを接続する接続手段、および、その接続手段による自由端１２Ｅの接続を解除する解除手段を備えた撮み部ロック部１８Ｅが設けられている。撮み部１０Ｅの自由端１２Ｅ側の使用者が指で撮み易い領域の両面には第２電極５４１Ｅが設けられている。
【００９５】
図１３（Ａ）は、心電の測定を行っていない非測定状態（第２電極５４１Ｅ未使用時）の測定装置１Ｅを示している。具体的には、測定装置１Ｅを使用者の左腕ＬＡの手首（左手首）ＬＷに装着した状態において、撮み部１０Ｅの自由端１２Ｅが、撮み部ロック部１８Ｅの接続手段によりバンド部２８に接続されている。
【００９６】
心電の測定を行う第２電極５４１Ｅ使用時には、撮み部ロック部１８Ｅが解除手段により図中矢印の方向に解除されて図１０（Ｂ）に示す測定状態になる。具体的には、撮み部１０Ｅの接続端１１Ｅのヒンジを支点として撮み部１０Ｅが回動し、自由端１２Ｅ側がバンド部２８から離れ、第２電極５４１Ｅを使用者の右手の指で撮める状態になる。そして、使用者の手の指（例えば、右手の親指および人差し指）で撮み部１０Ｅの第２電極５４１Ｅを撮み、ケース部２Ｅの背面側電極５４２の第１電極（不図示）と第２電極５４１Ｅとを用いた心電の測定を行う。
【００９７】
本変形例の測定装置１Ｅによれば、第２電極５４１Ｅが設けられた撮み部１０Ｅを使用して心電を測定する時には、撮み部ロック部１８Ｅの解除手段により撮み部１０Ｅの自由端１２Ｅの接続を解除して撮み部１０Ｅの第２電極５４１Ｅ形成領域を撮めるようにし、心電を測定しない時は、撮み部ロック部１８Ｅの固定手段により撮み部１０Ｅの自由端１２Ｅを接続することができる。これにより、心電を測定しない時には、撮み部１０Ｅが邪魔になり難くなるという効果が得られる。
【００９８】
（変形例２）
図１４は、生体情報測定装置の変形例２を示すものであり、（Ａ）は非測定状態を示す模式図、（Ｂ）は測定状態を示す模式図である。
上記実施形態および変形例１では、バンド部またはケース部に接続される接続端と、この接続端とは反対側の自由端とを有する撮み部を備えた構成についてについて説明したが、この構成に限定するものではない。
以下、変形例２に係る生体情報測定装置１Ｆについて説明する。なお、上記実施形態および変形例１と同一の構成部位については、同一の番号を附し、重複する説明は省略する。
【００９９】
図１４に示すように、本変形例にかかる測定装置１Ｆは、両端がバンド２８に接続された接続端１１Ｆを有する撮み部１０Ｆを有している。この撮み部１０Ｆのうち、少なくとも両端である接続端１１Ｆの所定の部位は弾性部材により形成されている。また、撮み部１０Ｆの中央の所定の領域の両面には第２電極５４１Ｆが設けられている。
【０１００】
図１４（Ａ）は、心電の測定を行っていない非測定状態（第２電極５４１Ｆ未使用時）の測定装置１Ｆを示している。具体的には、測定装置１Ｆを使用者の左腕ＬＡの手首（左手首）ＬＷに装着した状態において、撮み部１０Ｆは、バンド部２８に密着または小さい隙間を空けた状態で配置される。
【０１０１】
心電の測定を行う第２電極５４１Ｆ使用時には、図１４（Ｂ）に示すように、撮み部１０Ｆとバンド部２８との間に使用者の指（例えば、右手の人差し指）を入れて、少なくとも両端の接続端１１Ｆの所定の部位が有する弾性を利用して撮み部１０Ｆを引っ張り、撮み部１０Ｆの第２電極５４１Ｆ形成領域が撮み易いようにバンド部２８と撮み部１０Ｆとの隙間を確保する。そして、使用者の手の指（例えば、右手の親指および人差し指）で撮み部１０Ｆの第２電極５４１Ｆを撮み、ケース部２Ｆの背面側電極５４２の第１電極（不図示）と第２電極５４１Ｆとを用いた心電の測定を行う。
【０１０２】
本変形例の測定装置１Ｆによれば、上記実施形態および変形例１と同様に、心電非測定時に撮み部１０Ｆが邪魔になり難い効果に加えて、上記実施形態および変形例１に比して、複雑な機構を用いることなく単純な構造にて第２電極５４１Ｆと使用者の生体との安定した接触を実現する撮み部１０Ｆを配置することができるという効果が得られる。
【０１０３】
（第５実施形態）
次に、本発明の第５実施形態について説明する。
図１５は、本発明の第５実施形態に係る生体情報測定装置を示す背面図である。また、図１６は、上記第５実施形態における本体部および透光性部材を示す断面図である。
本実施形態に係る生体情報測定装置は、上記生体情報測定装置１Ａ〜１Ｆと同様の構成を有するが、背面側電極の配置が異なる点で、当該生体情報測定装置１Ａ〜１Ｆと相違する。なお、以下の説明では、既に説明した部分と同一又は略同一である部分については、同一の符号を付して説明を省略する。
【０１０４】
図１５は、本実施形態に係る生体情報測定装置１Ｇを示す背面図である。また、図１６は、ケース部２Ｇ（本体部２１Ｇ）における背面２１２側の部位、および、脈波センサー５３１を構成する透光性部材５３２を示す断面図である。なお、図１６は、正面２１１と背面２１２とを結ぶ方向における断面図である。
本実施形態に係る生体情報測定装置１Ｇは、背面２１２の構成、および、背面側電極５４２の配置が異なる他は、上記生体情報測定装置１Ａと同様の構成を有する。
この測定装置１Ｇでは、図１５に示すように、ケース部２Ｇを構成する本体部２１Ｇの背面２１２には、突出部２１２１が形成されている。この突出部２１２１は、図１６に示すように、背面２１２の外縁側から中央Ｃ２側に向かうに従って、当該背面２１２の基準面２１２Ａ（背面２１２の隅部を結ぶ平面）からの突出量が大きくなるように、緩やかな凸曲面状に形成されている。すなわち、突出部２１２１は、背面２１２の外縁側の位置より中央Ｃ２側の位置の方が基準面２１２Ａから突出している。
【０１０５】
突出部２１２１の中央には、図１５および図１６に示すように、円形状の開口である検出窓２１２２が形成されている。この検出窓２１２２には、上記脈波検出部５３を構成する透光性部材５３２が嵌め込まれており、当該透光性部材５３２は、本体部２１Ｇ内に設けられた脈波センサー５３１の発光素子および受光素子（図示省略）を覆う。すなわち、突出部２１２１は、検出窓２１２２以外の部位から光が脈波センサー５３１の受光素子に入射されることを防ぐ遮光部としても機能する。
なお、透光性部材５３２の略中央には、円弧状に膨出した膨出部５３２１が形成されており、上記基準面２１２Ａを基準とした場合、膨出部５３２１の高さ位置は、突出部２１２１において最も突出した部位である中央Ｃ２側の端部の高さ位置より高い。すなわち、膨出部５３２１の頂点は、突出部２１２１より基準面２１２Ａから離れている。
【０１０６】
このような背面２１２に配置される背面側電極５４２のうち、第１電極５４２１は、上記突出部２１２１における検出窓２１２２側の部位に環状に配置され、不関電極５４２２は、突出部２１２１の外側の部位に環状に配置されている。
これらのうち、第１電極５４２１は、突出部２１２１において外縁側の位置より中央Ｃ２側の位置に配置されている。換言すると、第１電極５４２１は、背面２１２に対向（正対）する位置から見て、検出窓２１２２の端縁との間の寸法Ｍ１が突出部２１２１の外縁との間の寸法Ｍ２より小さくなるように、突出部２１２１に配置されている。この第１電極５４２１の基準面２１２Ａからの高さ位置は、上記膨出部５３２１の高さ位置よりも高い。詳述すると、第１電極５４２１は、背面２１２に位置する構成のうち、基準面２１２Ａから最も離れた位置に配置されている。
【０１０７】
以上説明した本実施形態に係る測定装置１Ｇによれば、上記測定装置１Ａ〜１Ｆと同様の効果を奏することができる他、以下の効果が得られる。
背面側電極５４２の第１電極５４２１が上記突出部２１２１に配置されていることにより、測定装置１Ｇが上記装着部位に装着されて膨出部５３２１が当該装着部位に密着される際に、第１電極５４２１を当該装着部位に密着させることができる。従って、心電を精度よく検出できる。
【０１０８】
なお、上記測定装置１Ｇでは、背面側電極５４２は、第１電極５４２１および不関電極５４２２を有するとした。しかしながら、背面側電極５４２は、第１電極５４２１のみを有する構成であってもよく、第１電極５４２１および不関電極５４２２に加えて他の電極を有する構成としてもよい。
【０１０９】
更に、背面側電極５４２を構成する各電極は、環状に限らず、複数の電極に分断されていればよい。図１７および図１８は、背面側電極５４２を構成する各電極の配置・形状の他の態様を示すものであり、図１７は背面図、図１８は、図１７のＢ−Ｂ線断面図である。図１７に示す測定装置１Ｇの背面側電極５４２は、第１電極５４２１と、不関電極５４２２とが、間にすき間を介して並べて配置されている。図１７においては、背面２１２の紙面上左側に第１電極５４２１が配置され、紙面上右側に不関電極５４２２が配置されている。また、第１電極５４２１および不関電極５４２２は、背面２１２において使用者の体（皮膚）に向けて突出する突出部２１２１上に一部が配置されている（図１８を参照）。
このような背面側電極５４２の各電極の配置・形状とすることにより、第１電極５４２１および不関電極５４２２共に、背面２１２において使用者の体（皮膚）へ向けて突出する突出部２１２１に配置され、しかも、各々の電極共に、突出部２１２１に比較的広く配置されるので、使用者の皮膚との接触が良好に保持されて、より正確な心電を得ることが可能になる。
【０１１０】
また、上記測定装置１Ｇの構成を、背面側から見て略矩形状の本体部を有するケース部や、背面側から見て略円形状に形成された本体部を有するケース部を備える構成とし、当該本体部の背面に上記構成を適用してもよい。
なお、これらの構成の変形については、本実施形態の測定装置１Ｇに限らず、上記第１〜第４実施形態および変形例についても適用することができる。
【０１１１】
以上、発明者によってなされた本発明の実施の形態について具体的に説明したが、本発明は上記した実施の形態に限定されるものではなく、その要旨を逸脱しない範囲で種々の変更を加えることが可能である。
【０１１２】
例えば、上記実施形態の測定装置１Ａ〜１Ｆにおいて、第２電極５４１Ａ〜５４１Ｆが設けられた撮み部１０Ａ〜１０Ｆの形状は、各図に図示した形状に限らず、使用者が指で撮んだ状態を保持しやすい形状であればよい。
【０１１３】
更に、測定装置の装着時に人体に常時接触する電極（上記実施形態では、背面側電極５４２としての第１電極５４２１および不関電極５４２２）は、ケース部（本体部）の背面に限らず、測定装置の装着状態において使用者の皮膚に接触する面であればよい。例えば、バンド２８，２９のいずれかの内側（装着状態において使用者の皮膚に接触する側）に設けられていてもよい。この場合、バンド２８，２９の内側又は外側に、当該バンド２８，２９に沿う信号線（電線）を設けることにより、当該電極と本体部とを接続できる。
【０１１４】
また、上記実施形態では、背面側電極５４２の第１電極５４２１および不関電極５４２２も、中央Ｃ２を中心とする同心円状に配設されているとした。しかしながら、本発明はこれに限らない。すなわち、当該第１電極５４２１および不関電極５４２２の配置も適宜変更してよく、例えば、背面２１２において並べて配置されてもよい。
【０１１５】
上記各実施形態では、生体情報検出部５２は、心電測定部５４の他、使用者の脈波を検出する脈波検出部５３を有するとした。しかしながら、本発明はこれに限らない。すなわち、脈波検出部５３は無くてもよく、生体情報検出部５２が、他の生体情報（例えば、血圧、血糖値、体温、発汗量、および生体インピーダンス値など）を検出する検出部を更に有する構成としてもよい。また、体動情報検出部５１は無くてもよい。
【０１１６】
上記各実施形態および変形例では、第２電極５４１Ａ〜５４１Ｆ、およびそれらが設けられた撮み部１０Ａ〜１０Ｆは、使用者の心電の測定のみに利用されるとした。しかしながら、これに限らない。例えば、心電の測定時以外は、上記操作部４を構成する操作撮みとして利用可能に構成してもよい。
【０１１７】
上記各実施形態では、ケース部２Ａ〜２Ｆは、装着部材としての一対のバンド２８，２９により人体に装着されるとした。しかしながら、本発明はこれに限らない。すなわち、測定装置１Ａ〜１Ｆを人体に装着させることが可能であれば、装着部材の構成は問わない。また、上記のように、バンド２８，２９は、ケース部２Ａ〜２Ｆと一体化されていてもよい。
【０１１８】
上記各実施形態では、測定装置１Ａ〜１Ｆは、使用者の左手首ＬＷに装着可能な腕時計型のウェアラブル機器とした。しかしながら、これに限らず、測定装置の形状は、略直方体形状等、他の形状であってもよい。また、測定装置１Ａ〜１Ｆの装着部位も左手首ＬＷに限らず、右手首等の他の位置であってもよい。
【符号の説明】
【０１１９】
１Ａ〜１Ｇ…生体情報測定装置、２Ａ〜２Ｇ…ケース部、３…装置本体、４…操作部、５…計測部、６…報知部、７…通信部、８…記憶部、９…制御部、１０Ａ〜１０Ｆ…撮み部（１０Ｄ…撮み部としての上蓋部）、１１Ｅ，１１Ｆ…接続端、１２Ｅ…自由端、１５Ｂ，１５Ｃ…撮み部収容部、１８Ｅ…固定手段および解除手段を備えた撮み部ロック部、２１Ａ〜２１Ｇ…本体部、２２…カバー、２３…ベゼル、２４…絶縁体、２８，２９…バンド（バンド部）、３０…中留、４１〜４４…ボタン、５１…体動情報検出部、５２…生体情報検出部、５３…脈波検出部、５４…心電測定部、６１…表示部、６２…音声出力部、６３…振動部、８１…制御情報記憶部、８２…検出情報記憶部、９１…計時部、９２…報知制御部、９３…通信制御部、９４…検出制御部、９５…解析部、９６…異常判定部、２１１…正面、２１２…背面、２１２Ａ…基準面、２１３…右側面、２１４…左側面、５３１…脈波センサー、５３２…透光性部材、５４１Ａ〜５４１Ｆ…第２電極、５４２…背面側電極、５４５…ＡＦＥ、５４６…Ａ／Ｄコンバーター、５４７…心電検出部、２１２１…突出部、２１２２…検出窓、５３２１…膨出部、５４２１…第１電極、５４２２…不関電極。
【図１】
2016214641.tif 000003
【図２】
2016214641.tif 000004
【図３】
2016214641.tif 000005
【図４】
2016214641.tif 000006
【図５】
2016214641.tif 000007
【図６】
2016214641.tif 000008
【図７】
2016214641.tif 000009
【図８】
2016214641.tif 000010
【図９】
2016214641.tif 000011
【図１０】
2016214641.tif 000012
【図１１】
2016214641.tif 000013
【図１２】
2016214641.tif 000014
【図１３】
2016214641.tif 000015
【図１４】
2016214641.tif 000016
【図１５】
2016214641.tif 000017
【図１６】
2016214641.tif 000018
【図１７】
2016214641.tif 000019
【図１８】
2016214641.tif 000020